(57)【特許請求の範囲】
【請求項１】
車両のフードパネルの後端近傍における裏面側に搭載されて、
前記フードパネルの裏面側に配置されるケース内に折り畳まれて収納されて、内部に膨張用ガスを流入させて後方側に向かって突出するように膨張するエアバッグと、
前記エアバッグに膨張用ガスを供給するインフレーターと、
を備える構成の歩行者用エアバッグ装置であって、
前記エアバッグが、前記ケース内において、前記インフレーターの後側の領域に、折り畳まれて収納され、
前記インフレーターを支持して前記フードパネル側に取り付ける取付ブラケットが、折り畳まれた前記エアバッグの下面側を覆うとともに、前記インフレーターから吐出される膨張用ガスを内部に流入させて前記ケースから突出するように展開膨張する前記エアバッグの後方側への突出をガイドするガイド板部を、備える構成とされ、
前記ガイド板部が、折り畳まれた前記エアバッグの下面側を部分的に支持するように、上下方向側からの投影状態において、前記ケースより小さい投影面積として、上下方向側から見た状態で、後縁側を開口させるような空隙を、有する構成とされていることを特徴とする歩行者用エアバッグ装置。
【請求項２】
前記ケースが、形状保持性を有する材料から形成されるとともに、水密性を有し、かつ、膨張する前記エアバッグを突出可能に、構成されて、
前記ガイド板部が、前記ケースより高い剛性を有する構成とされて、前記エアバッグの展開膨張時に、前記ケースの下面側を支持可能に構成されていることを特徴とする請求項１に記載の歩行者用エアバッグ装置。
【発明の詳細な説明】
【技術分野】
【０００１】
本発明は、車両のフードパネルの後端近傍における裏面側に搭載される歩行者用エアバッグ装置に関する。
【背景技術】
【０００２】
従来、フードパネルの裏面側に搭載される歩行者用エアバッグ装置としては、折り畳まれたエアバッグを、合成樹脂製のケースに収納させる構成のものがあった（例えば、特許文献１参照）。
【先行技術文献】
【特許文献】
【０００３】
【特許文献１】特開２００３−８９３３３公報
【発明の概要】
【発明が解決しようとする課題】
【０００４】
しかしながら、この種の歩行者用エアバッグ装置では、ケースの下方に位置するカウルとの間に隙間があることから、合成樹脂製のケースでは、内部に膨張用ガスを流入させて膨張するエアバッグに押されて下方に撓み、膨張時のエアバッグを、後方側に向かって円滑に突出させ難い場合があった。
【０００５】
本発明は、上述の課題を解決するものであり、エアバッグを後方側に向かって円滑に展開膨張させることが可能な歩行者用エアバッグ装置を提供することを目的とする。
【課題を解決するための手段】
【０００６】
本発明に係る歩行者用エアバッグ装置は、車両のフードパネルの後端近傍における裏面側に搭載されて、
フードパネルの裏面側に配置されるケース内に折り畳まれて収納されて、内部に膨張用ガスを流入させて後方側に向かって突出するように膨張するエアバッグと、
エアバッグに膨張用ガスを供給するインフレーターと、
を備える構成の歩行者用エアバッグ装置であって、
エアバッグが、ケース内において、インフレーターの後側の領域に、折り畳まれて収納され、
インフレーターを支持してフードパネル側に取り付ける取付ブラケットが、折り畳まれたエアバッグの下面側を覆うとともに、インフレーターから吐出される膨張用ガスを内部に流入させてケースから突出するように展開膨張するエアバッグの後方側への突出をガイドするガイド板部を、備える構成とされていることを特徴とする。
【０００７】
本発明の歩行者用エアバッグ装置では、インフレーターをフードパネル側に取り付ける取付ブラケットが、エアバッグの展開膨張時の後方側への突出をガイドするガイド板部を、有していることから、ケースから突出するエアバッグを、後方側に向かって円滑に突出させつつ展開膨張させることができる。
【０００８】
したがって、本発明の歩行者用エアバッグ装置では、エアバッグを後方側に向かって円滑に展開膨張させることができる。
【０００９】
また、本発明の歩行者用エアバッグ装置において、ガイド板部を、折り畳まれたエアバッグの下面側を部分的に支持するように、上下方向側からの投影状態において、ケースより小さい投影面積として、配設させる構成とすれば、ガイド板部を折り畳まれたエアバッグの下面側を全面にわたって覆う構成とする場合と比較して、ガイド板部の形成材料を低減できて、ガイド板部の軽量化を図ることが可能となり、また、コストの増大も抑制できて、好ましい。
【００１０】
さらに、上記構成の歩行者用エアバッグ装置において、ガイド板部を、上下方向側から見た状態で、後縁側を開口させるような空隙を有する構成とすれば、ガイド板部が、エアバッグの後方側への展開膨張時に対向するような前縁を備えることを抑制できて、後方へ展開しようとするエアバッグの膨張初期に、ガイド板部にエアバッグが大きく干渉することを抑制でき、エアバッグの迅速な展開を阻害することを、防止できて、好ましい。
【００１１】
さらにまた、上記構成の歩行者用エアバッグ装置において、ケースを、形状保持性を有する材料から形成するとともに、水密性を有し、かつ、膨張するエアバッグを突出可能に、構成して、
ガイド板部を、ケースより高い剛性を有する構成として、エアバッグの展開膨張時に、ケースの下面側を支持可能に構成することが、好ましい。
【００１２】
歩行者用エアバッグ装置を上記構成とすれば、車両搭載時において、ケースの内部に雨水等が侵入することを、極力抑制することができ、また、エアバッグの展開膨張時に、ガイド板部によって、ケースの下面側を安定して支持させることができて、ガイド板部に支持されるケースの近傍部位を利用しつつ、エアバッグを安定して後方側に突出させることができる。
【図面の簡単な説明】
【００１３】
【図１】本発明の一実施形態である歩行者用エアバッグ装置を搭載させた車両の平面図である。
【図２】実施形態の歩行者用エアバッグ装置の平面図である。
【図３】実施形態の歩行者用エアバッグ装置を搭載させた車両において、フード跳ね上げ装置の部位を示す概略縦断面図であり、図１のIII−III部位に対応する。
【図４】実施形態の歩行者用エアバッグ装置の概略縦断面図であり、図１のIV−IV部位に対応する。
【図５】実施形態の歩行者用エアバッグ装置の部分拡大縦断面図である。
【図６】実施形態の歩行者用エアバッグ装置の概略縦断面図であり、図１のVI−VI部位に対応する。
【図７】実施形態の歩行者用エアバッグ装置の概略縦断面図であり、図１のVII−VII部位に対応する。
【図８】実施形態の歩行者用エアバッグ装置を構成するケース、エアバッグ、インフレーター、取付ブラケットを示す概略分解斜視図である。
【図９】実施形態の歩行者用エアバッグ装置の底面図である。
【図１０】取付ブラケットの部分拡大平面図である。
【図１１】実施形態の歩行者用エアバッグ装置を搭載させた車両において、フード跳ね上げ装置のアクチュエータの作動時を示す概略縦断面図である。
【図１２】実施形態の歩行者用エアバッグ装置において、エアバッグの膨張初期を示す車両前後方向に沿った概略縦断面図である。
【図１３】実施形態の歩行者用エアバッグ装置において、エアバッグが膨張を完了させた状態を示す車両前後方向に沿った概略縦断面図である。
【図１４】本発明の他の実施形態である歩行者用エアバッグ装置を示す縦断面図である。
【図１５】本発明のさらに他の実施形態である歩行者用エアバッグ装置の平面図である。
【図１６】図１５の歩行者用エアバッグ装置の縦断面図である。
【発明を実施するための形態】
【００１４】
以下、本発明の一実施形態を図面に基づいて説明する。実施形態の歩行者用エアバッグ装置（以下「エアバッグ装置」と省略する）Ｍは、図１，２に示すように、車両Ｖのフードパネル１０の後端１０ｃ近傍における裏面側において、左右のフロントピラー５Ｌ，５Ｒの間となる車両Ｖの左右方向の中央側となる位置に配置されるもので、実施形態の場合、フードパネル１０の後端１０ｃを上昇させるフード跳ね上げ装置２０と共に作動される。なお、本明細書では、特に断らない限り、前後、上下、及び、左右の方向は、それぞれ、車両Ｖの前後、上下、及び、左右の方向と一致させて、説明する。
【００１５】
実施形態の場合、車両Ｖのフロントバンパ６（図１参照）には、歩行者との衝突を検知可能な図示しないセンサが、配設されており、センサからの信号を入力させている図示しない作動回路が、センサからの信号に基づいて車両Ｖと歩行者との衝突を検知した際に、エアバッグ装置Ｍのインフレーター２８を作動させるように、構成されている。また、フード跳ね上げ装置２０の後述するアクチュエータ２３も、作動回路による車両Ｖの歩行者との衝突検知時に、インフレーター２８の作動と略同時に作動されて、フードパネル１０の後端１０ｃを押し上げ（図１１参照）、フードパネル１０の後端１０ｃとカウル７との間にエアバッグ突出用の隙間を形成することとなる。
【００１６】
フードパネル１０は、図１に示すように、車両ＶにおけるエンジンルームＥＲの上方を覆うように配設されるもので、左縁１０ｄ側と右縁１０ｅ側とにおける後端１０ｃ近傍に配置されるヒンジ部１３により、車両Ｖのボディ１側に対して、前開きで開閉可能に連結されている。フードパネル１０は、実施形態の場合、鋼板や、アルミニウム（アルミニウム合金）製の板材等からなり、図３〜６に示すように、上面側のアウタパネル１０ａと、下面側に位置してアウタパネル１０ａより強度を向上させたインナパネル１０ｂと、を備えている。フードパネル１０は、後述するフロントウィンドシールド４に合わせて、図１，２に示すように、後端１０ｃを、左右の中央を前方に位置させ、左右両端側を後方に位置させるように、左右方向に対して湾曲させて構成されている。また、実施形態のフードパネル１０は、裏面側にエアバッグ装置Ｍを取り付けるために、後端１０ｃ側における左右の中央側の裏面側を凹ませるように形成される凹部１０ｇを、備えている（図４〜６参照）。
【００１７】
フードパネル１０の後方には、図３，４，６に示すように、ボディ１側の剛性の高いカウルパネル７ａと、カウルパネル７ａの上方の合成樹脂製のカウルルーバ７ｂと、からなるカウル７が、配設されている。カウルルーバ７ｂは、後端側をフロントウィンドシールド４の下部４ａ側に連ならせるように、配設されている。このカウル７も、フードパネル１０の後端１０ｃの湾曲形状に合わせて、左右の中央を前方に位置させ、左右両端側を後方に位置させるように、左右方向に対して湾曲して、構成されている（図１参照）。また、カウル７の部位には、図１に示すように、ワイパ８が、配設されている。このワイパ８は、図４，６の二点鎖線に示すように、カウルルーバ７ｂから上方に突出するように、配設されている。フロントウィンドシールド４の左右の外方には、図１に示すように、フロントピラー５Ｌ，５Ｒが、配設されている。フードパネル１０は、フード跳ね上げ装置２０の作動時に、後端１０ｃを押し上げられることとなるが（図１１参照）、この後端１０ｃの上昇移動時には、フードパネル１０の前端１０ｆ側は、前端１０ｆに配置されている通常閉塞用の図示しないフードロックストライカを係止するラッチ機構により、ボディ１側から外れることはない。
【００１８】
ヒンジ部１３は、フードパネル１０の後端１０ｃ側における左縁１０ｄと右縁１０ｅとに配設され（図１，２参照）、それぞれ、ボディ１側の部材であるフードリッジリインホース２に連結された取付フランジ３に固定されるヒンジベース１４と、フードパネル１０側に固定されるヒンジアーム１６と、を備えて構成されている（図２，３参照）。各ヒンジアーム１６は、図３に示すように、板金製のアングル材を下向きに突出させるように略半円弧状に湾曲させた形状として構成され、ヒンジベース１４側の元部端１６ａが、支持軸１５を利用してヒンジベース１４に対して回動可能に連結されている。また、各ヒンジアーム１６は、図３に示すように、元部端１６ａから離れる先端１６ｂ側に、先端１６ｂからフードパネル１０の下面に略沿うように延びる連結板部１７を、備える構成とされ、この連結板部１７が、フードパネル１０の後端１０ｃにおける下面側に、溶接等を利用して結合されている。また、ヒンジアーム１６の先端１６ｂ付近には、図３に示すように、下縁を略円形状に切り欠くように構成される切欠凹部１６ｃが、形成されており、この切欠凹部１６ｃの周囲の部位が、フード跳ね上げ装置２０におけるアクチュエータ２３の作動時においてピストンロッド２５がフードパネル１０の後端１０ｃを押し上げた際に、塑性変形する塑性変形部１６ｄとされて、フードパネル１０の後端１０ｃの上昇を許容することとなる（図１１参照）。各支持軸１５は、図２，３に示すように、それらの軸方向を、車両Ｖの左右方向に沿わせるように、配置されている。そして、フードパネル１０を開く際には、フードパネル１０の前端１０ｆ側（図１参照）を前開きで上昇させれば、各支持軸１５を回転中心として、フードパネル１０を前開きで開くことができる（図３の二点鎖線参照）。
【００１９】
フード跳ね上げ装置２０は、図１〜３に示すように、エアバッグ装置Ｍの左右両側であって、フードパネル１０の後端１０ｃ側における左縁１０ｄ，右縁１０ｅの下方となるヒンジ部１３の下方に配設されている。各フード跳ね上げ装置２０は、図３に示すように、アクチュエータ２３と、アクチュエータ２３をボディ１側のフードリッジリインホース２に取り付ける取付ブラケット２１と、を備えている。取付ブラケット２１は、アクチュエータ２３を保持可能な断面略Ｕ字形状として、フードリッジリインホース２に連結される取付フランジ２ａに対してボルト２２止めされている。アクチュエータ２３は、駆動源として、図示しないガス発生器を使用しており、取付ブラケット２１に保持されるシリンダ２４と、シリンダ２４から上方へ突出するように配設されるピストンロッド２５と、を備えている。このアクチュエータ２３では、シリンダ２４の下端側に内蔵される図示しないガス発生器を作動させて発生する作動ガスにより、シリンダ２４内に収納されるピストンロッド２５の図示しないピストンを押し上げて、ピストンロッド２５を上昇移動させる構成である。そして、アクチュエータ２３の作動時に、上昇移動するピストンロッド２５の上端２５ａが、フードパネル１０の後端１０ｃの下面側に配設されるヒンジアーム１６の先端１６ｂ側に設けられた連結板部１７の下面に当接することとなり、この上昇移動するピストンロッド２５の上端２５ａによって、図１１に示すように、フードパネル１０の後端１０ｃが上方に押し上げられて、カウル７とフードパネル１０の後端１０ｃとの間に、膨張するエアバッグ３５を突出させるための隙間が形成されることとなる。
【００２０】
エアバッグ装置Ｍは、図２，４〜９に示すように、エアバッグ３５と、エアバッグ３５に膨張用ガスを供給するインフレーター２８と、エアバッグ３５とインフレーター２８とを収納するケース４５と、インフレーター２８を支持してフードパネル１０側に取り付ける取付ブラケット５６と、を備えている。
【００２１】
インフレーター２８は、実施形態の場合、図２，８，９に示すように、左右方向に沿って２個配設されるもので、それぞれ、軸方向を左右方向に略沿って配置されて、外形形状を略円柱状としたシリンダタイプのものを使用している。詳細には、各インフレーター２８は、左右方向の一端側（実施形態の場合、左右の外方側）に、膨張用ガスを吐出可能な図示しないガス吐出口を配設させて構成されるもので、左右方向の他端側（左右の内方側）から延びる図示しないリード線を介して、作動回路と電気的に接続されている。また、各インフレーター２８は、図２，４，５に示すように、外周側を覆うように配置されるブラケット２９と、取付ボルト３０とを利用して、ケース４５及び取付ブラケット５６に取り付けられる構成である。ブラケット２９は、帯状の板金素材から構成されるもので、インフレーター２８を把持する略円環状の把持部２９ａと、把持部２９ａの両端側から延びる固着部２９ｂと、を備えている。このブラケット２９は、把持部２９ａによってインフレーター２８を保持させた状態で、固着部２９ｂから突出させたボルト３０を、ケース４５の後述するロアケース５０と取付ブラケット５６の取付板部５９ｂとに挿通させ、取付板部５９ｂの下面側でナット３１止めすることにより、固着部２９ｂの部位でケース４５とともに取付ブラケット５６に取り付けられる構成である。実施形態の場合、ブラケット２９は、各インフレーター２８に、軸方向に沿った方向側で２つずつ配置されている（図２，８，９参照）。また、各インフレーター２８は、図示しないガス吐出口を有した左右方向の外方側の端部を、クランプ３２を使用して、エアバッグ３５の後述する接続口部３８に、連結されている。実施形態の場合、各インフレーター２８は、ケース４５における前端側の領域に、収納されている。
【００２２】
エアバッグ３５は、インフレーター２８から吐出される膨張用ガスを内部に流入させて、ケース４５から後方側に向かって突出しつつ、後上方に向かって展開膨張するもので、実施形態の場合、ポリエステル糸やポリアミド糸等を使用した織布からなる袋状とされている。エアバッグ３５は、図１の二点鎖線に示すように、膨張完了時の形状を、正面側から見て、左右方向に幅広とした略Ｕ字形状に形成されるもので、膨張完了時にカウル７の上方を覆うように左右方向に略沿って配置されるカウルカバー部３６と、カウルカバー部３６の左右両端から後方に延びるように配置されてフロントピラー５Ｌ，５Ｒの下部５ａ側を覆うピラーカバー部３７，３７と、を備えて構成されている。また、カウルカバー部３６の前縁側には、各インフレーター２８と接続される接続口部３８と、エアバッグ３５をケース４５側に取り付ける中央側テザー３９，端側テザー４０と、が、形成されている（図８参照）。中央側テザー３９は、実施形態の場合、詳細には図示しないが、各接続口部３８の左右方向の内側近傍となる２箇所に、配置されており、端側テザー４０は、カウルカバー部３６の左右両端近傍となる２箇所に、配置されている。各中央側テザー３９，端側テザー４０は、実施形態の場合、ロアケース５０を介して、取付ブラケット５６に形成される取付板部５９ｂとテザー取付片部６０とにボルト４１止めされている（図８，９参照）。そして、エアバッグ３５は、図８に示すように、ケース４５内に収納可能に、前後左右の幅寸法を縮められるようにして、折り畳まれて、ケース４５内におけるインフレーター２８の後側の領域に、収納されている（図４〜６参照）。
【００２３】
ケース４５は、形状保持性を有する材料から形成されるとともに、水密性を有する構成とされている。実施形態の場合、ケース４５は、取付ブラケット５６より剛性の低い合成樹脂製の箱形状とされている。具体的には、ケース４５は、ポリオレフィン系熱可塑性エラストマー（ＴＰＯ）等の軟質合成樹脂製とされるもので、実施形態の場合、図４〜８に示すように、アッパケース４６とロアケース５０との２つの部材から構成されて、折り畳まれたエアバッグ３５とインフレーター２８との周囲を全周にわたって覆うように、構成されている。また、実施形態の場合、ケース４５は、図１，２に示すように、フードパネル１０の後端１０ｃの湾曲形状に合わせて、左右の中央を前方に位置させ、左右両端側を後方に位置させるように、左右方向に対して湾曲して構成されている。
【００２４】
アッパケース４６は、折り畳まれたエアバッグ３５とインフレーター２８との上面側を覆う天井壁部４７と、天井壁部４７の周縁から下方に延びる略四角筒形状の周壁部４８と、周壁部４８の下端から前後左右の外方に向かって延びるフランジ部４９と、を備えている。実施形態の場合、周壁部４８において、左右方向の両端側に配置される左壁部４８ａと右壁部４８ｂとは、図２，８に示すように、後方側にかけて拡開するように傾斜して、配置されている。フランジ部４９は、周壁部４８の全周にわたって、形成されている。フランジ部４９における左縁側から前縁側を経て右縁側にかけての部位には、取付ブラケット５６に形成される係止フック５７ａを挿入させて周縁で係止可能な係止孔４９ａが、多数形成されている（図６〜８参照）。また、フランジ部４９における後縁側の部位には、ロアケース５０のフランジ部５３に形成される凹部５３ｂに挿入可能に下方に突出するように形成される挿入片部４９ｂが、形成されている（図６参照）。この挿入片部４９ｂは、断続的に複数個形成されている。
【００２５】
ロアケース５０は、折り畳まれたエアバッグ３５とインフレーター２８との下面側を覆う底壁部５１と、底壁部５１の周縁から上方に延びる内壁部５２と、底壁部５１から連なるように前後左右の外方に向かって延びるフランジ部５３と、を備えている。底壁部５１における前端側の領域には、インフレーター２８の外周面に沿って僅かに凹むように（下方に向かって突出するように）構成されるインフレーター収納部５１ａが、形成されている（図４，５参照）。実施形態の場合、インフレーター収納部５１ａは、図８，９に示すように、底壁部５１の左右の略全域にわたって、形成されている。また、底壁部５１には、図８に示すように、インフレーター２８のブラケット２９を取り付けるボルト３０と、中央側テザー３９，端側テザー４０を取り付けるボルト４１と、を貫通可能な挿通孔５１ｂ，５１ｃが、形成されている。各挿通孔５１ｂ，５１ｃには、防水性を確保するためにパッキン５１ｄが設けられている（図５，７参照）。内壁部５２は、アッパケース４６の周壁部４８の内周側の部位を隙間なく密接して覆うように構成されるもので、高さ寸法（底壁部５１からの突出量）を、周壁部４８の１／２程度に、大きく設定されている。すなわち、実施形態のケース４５では、底壁部５１からの突出量を大きく設定される内壁部５２を、周壁部４８の内周側に密接して配置させている。フランジ部５３は、アッパケース４６をロアケース５０に被せた際に、アッパケース４６のフランジ部４９と当接するように、構成されるもので、全周にわたって形成されている。フランジ部５３における左縁側から前縁側を経て右縁側にかけての部位にも、アッパケース４６のフランジ部４９に形成される係止孔４９ａに対応した位置に、係止フック５７ａを挿入させるための係止孔５３ａが、形成されている（図６〜８参照）。また、フランジ部５３の後縁側の部位には、アッパケース４６のフランジ部４９に形成される挿入片部４９ｂを挿入させるための凹部５３ｂが、形成されている（図６参照）。
【００２６】
実施形態のケース４５では、ロアケース５０の底壁部５１に、折り畳まれたエアバッグ３５とインフレーター２８，２８とを載置させた状態で、アッパケース４６を上方から被せることにより、折り畳まれたエアバッグ３５とインフレーター２８とが、外周側を全面にわたって覆われた状態で、ケース４５内に収納されることとなる。そして、実施形態のケース４５では、インフレーター２８の作動時に、エアバッグ３５が内部に膨張用ガスを流入させて膨張する際には、アッパケース４６における周壁部４８の後壁部４８ｃと、ロアケース５０における内壁部５２の後側部位５２ａと、が、膨張するエアバッグ３５に押されて変形しつつ後方に向かって押し開かれることとなり、後壁部４８ｃと後側部位５２ａとを押し開いて形成される隙間Ｓ（突出用開口）から、エアバッグ３５が後方側に向かって突出することとなる（図１２，１３参照）。また、このエアバッグ３５の展開膨張時には、膨張するエアバッグ３５に押されて、ロアケース５０における底壁部５１の後側部位５１ｅも、変形することとなる（図１２参照）。
【００２７】
取付ブラケット５６は、ケース４５より剛性の高い板金素材から形成されるもので、実施形態の場合、図４，５，９に示すように、ケース４５の下面側に、配置されている。取付ブラケット５６は、実施形態の場合、図８〜１０に示すように、アッパケース４６及びロアケース５０のフランジ部４９，５３の下面側における前縁側の部位に配置される支持枠部５７と、取付ブラケット５６をフードパネル１０側に固定させるための固定片部５８と、インフレーター２８を保持させるためのインフレーター保持部５９と、エアバッグ３５における端側テザー４０の先端側を取り付けるためのテザー取付片部６０と、エアバッグ３５の展開膨張時の後上方側への突出をガイドするガイド板部６２と、を備えている。
【００２８】
支持枠部５７は、外形形状を左右方向に略沿った長尺状の帯板状とされている。詳細には、支持枠部５７は、ケース４５の前縁側の部位において、左右の略全域にわたって配置されるもので、ケース４５の前縁側に略沿うように形成されるとともに、左右両端側を後方に向けるように、湾曲して形成されている。支持枠部５７には、ケース４５を係止させるための係止フック５７ａが、左右の略全域にわたって、断続的に多数形成されている。各係止フック５７ａは、支持枠部５７の後縁近傍の部位から上方に延びて先端を前方に向けるように、断面形状を略Ｊ字形状として構成されるもので、アッパケース４６とロアケース５０とのフランジ部４９，５３に形成される係止孔４９ａ，５３ａに挿入されて、係止孔４９ａ，５３ａ周縁に係止される構成である（図６，７参照）。
【００２９】
取付ブラケット５６をフードパネル１０側に固定させるための固定片部５８は、平板状として、支持枠部５７の前縁側から前方に突出するように形成されるもので、支持枠部５７の左右の略全域にわたって点在されるように、左右方向に沿って複数個、形成されている。実施形態の場合、固定片部５８は、８個、形成されており、左右方向の両端側に配置される固定片部５８Ｌ，５８Ｒは、左右方向（支持枠部５７の長手方向）に沿って幅広に構成されている。各固定片部５８（５８Ｌ，５８Ｒ）は、ボルト６４を挿通させるための挿通孔５８ａを備える構成とされて、図４，５に示すように、ボルト６４を利用して、フードパネル１０におけるインナパネル１０ｂの裏面側に、取付固定されることとなる。
【００３０】
インフレーター２８を保持させるためのインフレーター保持部５９は、各インフレーター２８に対応して２箇所に形成されるもので、それぞれ、支持枠部５７から後方に突出するように、形成されている。各インフレーター保持部５９は、実施形態の場合、左右方向の幅寸法を、インフレーター２８の長さ寸法の１／３程度に設定されて（図２，８，９参照）、インフレーター２８の軸方向側の中央付近の下面側を支持する構成とされている。各インフレーター保持部５９は、図４，５，８，１０に示すように、ロアケース５０におけるインフレーター収納部５１ａに対応して、下方に突出するように湾曲して形成される受座部５９ａと、受座部５９ａの後縁から後方に延びるように形成されてインフレーター２８を取り付ける取付板部５９ｂと、を備える構成とされている。受座部５９ａは、インフレーター収納部５１ａを介して、インフレーター２８の下面側を支持するように、構成されている。取付板部５９ｂは、インフレーター２８を保持させたブラケット２９と、エアバッグ３５における中央側テザー３９の先端側と、を固定させるための部位であり、左右方向の幅寸法を、受座部５９ａと略一致させて構成されて、受座部５９ａから後方に延びるように形成されている。取付板部５９ｂには、ブラケット２９を取り付けるためのボルト３０と、中央側テザー３９を取り付けるためのボルト４１と、を挿通可能な挿通孔５９ｃが、形成されている（図１０参照）。そして、取付板部５９ｂには、インフレーター２８を保持させたブラケット２９と、中央側テザー３９の先端側と、が、ボルト３０，４１とナット３１，４２とを利用して、固定される（図４，５，９参照）。実施形態の場合、中央側テザー３９の先端側は、図９に示すように、ブラケット２９，２９間となる位置に固定されている。
【００３１】
テザー取付片部６０は、図８〜１０に示すように、支持枠部５７の後縁側から延びるように形成されるもので、実施形態の場合、左右両端側に配置される固定片部５８Ｌ，５８Ｒの後方となる位置に、形成されている。各テザー取付片部６０には、ボルト４１を挿通させるための挿通孔６０ａが、形成されている。そして、各テザー取付片部６０には、エアバッグ３５における端側テザー４０の先端側が、ボルト４１とナット４２とを利用して固定される（図７参照）。
【００３２】
ガイド板部６２は、折り畳まれたエアバッグ３５の下面側を覆って、膨張用ガスを内部に流入させてケース４５から突出するように展開膨張するエアバッグ３５の後方側への突出をガイドするためのもので、実施形態の場合、インフレーター保持部５９から後方に延びる略板状として、構成されている。ガイド板部６２は、実施形態の場合、左右方向の幅寸法を、インフレーター保持部５９と略同一として構成されて（図８〜１０参照）、インフレーター保持部５９の取付板部５９ｂから平面状に連なって後方に向かって延びて、ケース４５の下側において、底壁部５１との間に僅かな隙間を設けるようにして、折り畳まれたエアバッグ３５の下面側を覆うように、形成されている（図４，５参照）。また、このガイド板部６２は、実施形態の場合、車両搭載時に、フードパネル１０におけるインナパネル１０ｂと略平行となるように、配置されることとなる（図４，５参照）。実施形態の場合、ガイド板部６２は、後縁６２ａをケース４５の後端より前方に位置させて、ケース４５におけるエアバッグ３５を収納している領域の下面側を、２／３程度にわたって覆うように、形成されている。すなわち、ケース４５に収納されたエアバッグ３５は、フードパネル１０とガイド板部６２との間に配置される構成である。実施形態では、ガイド板部６２は、ケース４５の下面側を全面にわたって覆わず、インフレーター保持部５９の後側となる２箇所のみに、部分的に、配置されるもので、換言すれば、ガイド板部６２は、折り畳まれたエアバッグ３５の下面側を部分的に支持するように、上下方向側からの投影状態において、ケース４５より小さい投影面積として、配設されている（図２，９参照）。また、ガイド板部６２は、左右方向側で、分離した２箇所に、配置されるものであり、換言すれば、上下方向側から見た状態で、この２つのガイド板部６２，６２間に、後縁６２ａ側を開口させるような空隙を、有する構成とされている。また、実施形態のエアバッグ装置Ｍでは、ガイド板部６２は、ケース４５の底壁部５１との間に僅かに隙間を設けられる構成であるものの、エアバッグ３５の展開膨張時に、ケース４５の下面側を支持する構成とされている。
【００３３】
次に、実施形態のエアバッグ装置Ｍの車両Ｖへの搭載について説明する。まず、エアバッグ３５を、ケース４５内に収納可能に折り畳み（図８参照）、折り畳み完了後に、折り完了体の周囲を、折り崩れ防止用の破断可能なラッピング材により、くるんでおく。そして、ブラケット２９に保持させた状態のインフレーター２８，２８を、クランプ３２を用いてエアバッグ３５の接続口部３８と接続させておく。折り畳まれたエアバッグ３５とインフレーター２８，２８とを、底壁部５１上に載置させるようにして、ロアケース５０内に収納させる。このとき、インフレーター２８を保持させたブラケット２９の固着部２９ｂから突出しているボルト３０を、底壁部５１の挿通孔５１ｂに挿通させ、エアバッグ３５から延びる中央側テザー３９，端側テザー４０の先端側から突出しているボルト４１を、挿通孔５１ｃに挿通させる。その後、アッパケース４６をロアケース５０に被せる。次いで、係止フック５７ａを係止孔４９ａ，５３ａに挿入させて係止孔４９ａ，５３ａ周縁に係止させるとともに、ロアケース５０から突出している各ボルト３０，４１を挿通孔５９ｃ，６０ａに挿通させるようにして、取付ブラケット５６を、ロアケース５０の下面側に配置させる。その後、取付板部５９ｂとテザー取付片部６０とから突出している各ボルト３０，４１に、ナット３１，４２を締結させれば、インフレーター２８とエアバッグ３５とを、ケース４５を介して取付ブラケット５６に取り付けることができて、エアバッグ組付体を形成することができる。次いで、取付ブラケット５６の固定片部５８を、フードパネル１０のインナパネル１０ｂにボルト６４止めすれば、エアバッグ装置Ｍを、フードパネル１０の裏面側に取り付けることができる。その後、インフレーター２８を、図示しない作動回路に接続させれば、エアバッグ装置Ｍを車両Ｖに搭載することができる。
【００３４】
そして、実施形態のエアバッグ装置Ｍでは、図示しない作動回路が、フロントバンパ６に配置される図示しないセンサからの信号に基づいて、車両Ｖの歩行者との衝突を検知した際に、フード跳ね上げ装置２０のアクチュエータ２３が、ピストンロッド２５によりフードパネル１０の後端１０ｃを押し上げるように作動されて（図１１参照）、フードパネル１０の後端１０ｃとカウル７との間に、エアバッグ突出用の隙間が形成されることとなる。略同時に、インフレーター２８が作動されて、内部に膨張用ガスを流入させてエアバッグ３５が膨張することとなり、膨張するエアバッグ３５が、ケース４５の後壁部４８ｃと後側部位５２ａとを押し開くようにして形成される隙間Ｓ（突出用開口）から、後方側に向かって突出しつつ、後上方に向かって展開膨張して、カウル７の上面とフロントピラー５Ｌ，５Ｒの前面とを覆うように、膨張を完了させることとなる（図１の二点鎖線及び図１３参照）。
【００３５】
実施形態のエアバッグ装置Ｍでは、インフレーター２８をフードパネル１０側に取り付ける取付ブラケット５６が、エアバッグ３５の展開膨張時の後方側への突出をガイドするガイド板部６２を、有していることから、ケース４５から突出するエアバッグ３５を、図１２に示すように、後方側に向かって円滑に突出させつつ展開膨張させることができる。
【００３６】
したがって、実施形態のエアバッグ装置Ｍでは、エアバッグ３５を後方側に向かって円滑に展開膨張させることができる。
【００３７】
また、実施形態のエアバッグ装置Ｍでは、ガイド板部６２が、図８，９に示すように、インフレーター２８を保持させるインフレーター保持部５９の後側の領域のみに配置されている。すなわち、実施形態のエアバッグ装置Ｍでは、ガイド板部６２は、折り畳まれたエアバッグ３５の下面側を部分的に支持するように、上下方向側からの投影状態において、ケース４５より小さい投影面積として、配設されている（図９参照）。そのため、実施形態のエアバッグ装置Ｍは、ガイド板部を、折り畳まれたエアバッグの下面側を全面にわたって覆う構成とする場合と比較して、ガイド板部の形成材料を低減できて、ガイド板部６２の軽量化を図ることが可能となり、また、コストの増大も抑制できる。なお、このような点を考慮しなければ、ガイド板部を、折り畳まれたエアバッグの下面側を全面にわたって覆うような構成としてもよい。
【００３８】
さらに、実施形態のエアバッグ装置Ｍでは、ガイド板部６２が、インフレーター２８を保持させるインフレーター保持部５９の後側の領域のみとなる、左右方向に沿った２箇所に、形成されており、換言すれば、ガイド板部６２は、上下方向側から見た状態で、２つのガイド板部６２，６２間に、後縁６２ａ側を開口させるような空隙を有する構成とされている。そのため、実施形態のエアバッグ装置Ｍでは、ガイド板部６２が、エアバッグ３５の後方側への展開膨張時に対向するような前縁を備えることを抑制できて、後方へ展開しようとするエアバッグ３５の膨張初期に、ガイド板部６２にエアバッグが大きく干渉することを抑制でき、エアバッグ３５の迅速な展開を阻害することを、防止できる。なお、このような点を考慮しなければ、図１０の二点鎖線に示すように、ガイド板部６２Ａを、支持枠部５７の左右方向の端部側から、左右の内方に向かって突出させるようにして、配置させてもよい。また、ケースの下面側を覆うガイド板部を、例えば、櫛歯状として、左右方向に沿って断続的に設けられる構成や、ケースの底壁部の下面側を略全面にわたって覆うとともに、円形や四角形等の空隙を多数設ける構成としてもよい。
【００３９】
さらにまた、実施形態のエアバッグ装置Ｍでは、ガイド板部６２が、ケースより高い剛性を有する構成として、エアバッグ３５の展開膨張時に、ケース４５の下面側を支持可能に構成されている。そのため、エアバッグ３５の展開膨張時に、ガイド板部６２によって、ケース４５の下面側を安定して支持させることができて、ガイド板部６２に支持されるケース４５の近傍部位を利用しつつ、エアバッグ３５を安定して後方側に突出させることができる。具体的には、実施形態のエアバッグ装置Ｍでは、ケース４５の底壁部５１において、断続的に設けられたガイド板部６２，６２間に配置される部位を、エアバッグ３５の展開膨張の案内に利用でき、膨張するエアバッグ３５は、この底壁部５１におけるガイド板部６２，６２間の部位に案内されて、円滑に後方側に突出されることとなる。また、実施形態のエアバッグ装置Ｍでは、ケース４５が、形状保持性を有する材料から形成されて、水密性を有する構成とされている。具体的には、ケース４５は、合成樹脂製とされている。そのため、車両搭載時において、ケース４５の内部に雨水等が侵入することを、極力抑制することができる。また、ケース４５を合成樹脂製とすることにより、実施形態のごとく、ケース４５をアッパケース４６とロアケース５０との２つの部材から構成して、アッパケース４６のフランジ部４９に形成される挿入片部４０ｂを、ロアケース５０に形成される凹部５３ｂに挿入させて嵌合させることにより、エアバッグ３５をケース４５内に収納させ、エアバッグ３５の展開膨張時には、この挿入片部４０ｂの凹部５３ｂとの嵌合状態を解除させて、エアバッグ３５を膨張させる構成とする場合に、挿入片部と凹部との嵌合状態を維持しやすく、かつ、挿入片部４０ｂの凹部５３ｂとの嵌合状態を解除させて形成される隙間Ｓ（突出用開口）から、エアバッグ３５を円滑に突出させることができる。なお、このような点を考慮しなければ、ケースを、ゴム材料等から形成してもよい。
【００４０】
また、実施形態のエアバッグ装置Ｍでは、取付ブラケット５６は、ロアケース５０の下面側に配設されているが、図１４に示すエアバッグ装置のごとく、インフレーター２８を支持する取付ブラケット５６Ｂを、ケース４５の内部であるロアケース５０の上面側に配置させ、ガイド板部６２Ｂを、折り畳まれたエアバッグ３５と底壁部５１との間の部位に配置させる構成としてもよい。なお、ケースの防水性を考慮すれば、実施形態のごとく、ケース４５の下面側に、取付ブラケット５６を配置させる構成とすることが好ましい。実施形態のエアバッグ装置Ｍでは、ケース４５は、図４〜６に示すように、アッパケース４６の周壁部４８を、ロアケース５０の底壁部５１近傍まで延ばすように構成して、周壁部４８の内周側に、高さ寸法を周壁部４８の１／２程度に設定されるロアケース５０の内壁部５２を、密接して配置させ、周壁部４８から延びるフランジ部４９と、ロアケース５０のフランジ部５３とが、底壁部５１側となるケース４５の下端側の領域で、相互に当接するように配置されていることから、防水性が良好であり、車両搭載状態において、内部に雨水等が侵入することを、極力抑制することができる。
【００４１】
さらに、実施形態のエアバッグ装置Ｍでは、ケース４５は、取付ブラケット５６の支持枠部５７に形成される係止フック５７ａを、ケース４５におけるアッパケース４６とロアケース５０とのフランジ部４９，５３に形成される係止孔４９ａ，５３ａ周縁に係止させることにより、取付ブラケット５６に取り付けられる構成とされているが、ケース４５の取付ブラケット５６への取り付けは、実施形態に限られるものではない。例えば、図１５，１６に示すエアバッグ装置のごとく、ケース４５を、アッパケース４６とロアケース５０とのフランジ部４９，５３の部位において、左右方向側で複数個配設されるボルト６６とナット６７とを利用して、取付ブラケット５６の支持枠部５７に取り付ける構成としてもよい。
【符号の説明】
【００４２】
１０…フードパネル、１０ｃ…後端、２８…インフレーター、３５…エアバッグ、４５…ケース、４６…アッパケース、５０…ロアケース、５６，５６Ａ…取付ブラケット、６２，６２Ａ…ガイド板部、Ｖ…車両、Ｍ…歩行者用エアバッグ装置。
【図１】
0006350209.tif 000002
【図２】
0006350209.tif 000003
【図３】
0006350209.tif 000004
【図４】
0006350209.tif 000005
【図５】
0006350209.tif 000006
【図６】
0006350209.tif 000007
【図７】
0006350209.tif 000008
【図８】
0006350209.tif 000009
【図９】
0006350209.tif 000010
【図１０】
0006350209.tif 000011
【図１１】
0006350209.tif 000012
【図１２】
0006350209.tif 000013
【図１３】
0006350209.tif 000014
【図１４】
0006350209.tif 000015
【図１５】
0006350209.tif 000016
【図１６】
0006350209.tif 000017